(57)【要約】【課題】  複数の点光源を直線状に配列した光源により照明対象物を照明した場合において、照明位置での照度ニップルの発生を防止して均一な照度を得る。【解決手段】  直線状に配列された複数の点光源３２と、点光源３２から出射された光の出射方向前方に配置されて点光源３２から出射された光を点光源３２の配列方向と直交する方向に集光させる集光体３３と、点光源３２から出射された光が照明対象物に至る光路上に配置されてこの光をランダムに拡散する光拡散部３４とを具備する。複数の点光源３２から出射された光は、光拡散部３４によりランダムに拡散されて照明対象物に照射されるので、照明対象物の照明位置では、光源が点光源３２であることが原因となる照度リップルの発生が防止されて均一な照度が得られる。【選択図】    図４
2005156600.tif 000002
【特許請求の範囲】
【請求項１】
直線状に配列された複数の点光源と、
前記点光源から出射された光の出射方向前方に配置され、前記点光源から出射された光を前記点光源の配列方向と直交する方向に集光させる集光体と、
前記点光源から出射された光が照明対象物に至る光路上に配置され、この光をランダムに拡散する光拡散部と、
を具備する照明装置。
【請求項２】
前記光拡散部は、光の拡散度が８０±１０％、光の透過率が９０％以上である請求項１記載の照明装置。
【請求項３】
前記光拡散部は、前記点光源から出射した光が前記集光体を通過する際における前記集光体に対する入射面又は出射面の少なくとも一方の面に形成されている請求項１又は２記載の照明装置。
【請求項４】
前記光拡散部は、前記入射面又は前記出射面の少なくとも一方の全面に形成されている請求項３記載の照明装置。
【請求項５】
前記光拡散部は、前記入射面又は前記出射面の少なくとも一方の面における前記点光源に垂直に対向する領域を含む範囲に間欠的に形成されている請求項３記載の照明装置。
【請求項６】
前記光拡散部は、表面粗し処理により形成されている請求項２ないし５のいずれか一記載の照明装置。
【請求項７】
前記光拡散部は、つや消しコーティング処理により形成されている請求項２ないし５のいずれか一記載の照明装置。
【請求項８】
前記光拡散部は、シボ処理により形成されている請求項２ないし５のいずれか一記載の照明装置。
【請求項９】
前記光拡散部は光拡散部材に形成され、前記光拡散部材が前記光集光体と前記照明対象物との間に配置されている請求項１又は２記載の照明装置。
【請求項１０】
前記光拡散部材は、前記集光体に取り付けられている請求項９記載の照明装置。
【請求項１１】
前記光拡散部は、前記点光源から出射された光が前記照明対象物に向かう光路上の全域に形成されている請求項９又は１０記載の照明装置。
【請求項１２】
前記光拡散部は、前記点光源から垂直方向に出射された光が前記照明対象物に向かう光路上の領域を含む範囲に間欠的に形成されている請求項９又は１０記載の照明装置。
【請求項１３】
前記光拡散部は、表面粗し処理により形成されている請求項９ないし１２のいずれか一記載の照明装置。
【請求項１４】
前記光拡散部は、つや消しコーティング処理により形成されている請求項９ないし１２のいずれか一記載の照明装置。
【請求項１５】
前記光拡散部は、シボ処理により形成されている請求項９ないし１２のいずれか一記載の照明装置。
【請求項１６】
照明対象物である原稿の原稿面を照明する請求項１ないし１５のいずれか一記載の照明装置と、
原稿面からの反射光を読み取る画像読取部と、
を具備する画像読取装置。
【請求項１７】
請求項１６記載の画像読取装置と、
前記画像読取装置で読み取った画像データに応じて記録媒体上に画像を形成する画像形成部と、
を具備する画像形成装置。
【発明の詳細な説明】
【技術分野】
【０００１】
本発明は、照明装置、画像読取装置及び画像形成装置に関する。
【背景技術】
【０００２】
従来、スキャナなどの画像読取装置では、コンタクトガラス上に位置して読取対象物となる原稿の原稿面に向けて光を出射する光源を有し、原稿面で反射された後に読取光軸に沿って進行する読取光をレンズを介してＣＣＤ等の画像読取部に結像し、原稿画像を読取っている。
【０００３】
このような画像読取装置の光源としては、蛍光灯やキセノンランプ等の棒状光源、ＬＥＤ等の点光源が使用されている。ＬＥＤ等の点光源を使用することにより、画像読取装置の小型化、消費電力の低減等を図ることができる。
【０００４】
光源として点光源を使用する場合には、複数の点光源を主走査方向（読取ライン方向）に直線状に配列する構成をとるため、各点光源から出射された光を原稿面などの読取面に直接照射すると、主走査方向において照度リップル（照度分布のムラ）が生じ、読み取った画像データに応じて画像形成した場合に照度リップが原因となる画像濃度ムラが発生する。
【０００５】
そこで、点光源を用いた画像読取装置において照度リップルの発生を抑制する様々な発明が提案されており、例えば、特許文献１に開示された発明が知られている。特許文献１の発明では、複数の点光源と読取対象物である原稿の原稿面との間に回折格子を備えた照度均一化手段を設けている。
【０００６】
【特許文献１】特開平１０−３２２５２１号公報
【発明の開示】
【発明が解決しようとする課題】
【０００７】
しかし、特許文献１記載の発明は、点光源から出射された光を回折格子で回折する構成であるので、照度リップルの最大照度値と最小照度値との差は小さくなるものの、リップル数が増えた状態となって照度リップルは依然として残存する。
【０００８】
本発明の目的は、複数の点光源を直線状に配列した光源により照明対象物を照明した場合において、照明位置での照度ニップルの発生を防止して均一な照度を得ることである。
【課題を解決するための手段】
【０００９】
請求項１記載の発明の照明装置は、直線状に配列された複数の点光源と、前記点光源から出射された光の出射方向前方に配置され、前記点光源から出射された光を前記点光源の配列方向と直交する方向に集光させる集光体と、前記点光源から出射された光が照明対象物に至る光路上に配置され、この光をランダムに拡散する光拡散部と、を具備する。
【００１０】
したがって、複数の点光源から出射された光は、光拡散部によりランダムに拡散されて照明対象物に照射されるので、照明対象物の照明位置では、光源が点光源であることが原因となる照度リップルの発生が防止され、均一な照度となる。
【００１１】
請求項２記載の発明は、請求項１記載の照明装置において、前記光拡散部は、光の拡散度が８０±１０％、光の透過率が９０％以上である。
【００１２】
したがって、照明対象物の照明位置において、照度ニップルの発生が防止されて均一な照度が得られ、かつ、点光源から出射された光を有効に利用して十分な照度が得られる。
【００１３】
請求項３記載の発明は、請求項１又は２記載の照明装置において、前記光拡散部は、前記点光源から出射した光が前記集光体を通過する際における前記集光体に対する入射面又は出射面の少なくとも一方の面に形成されている。
【００１４】
したがって、光拡散部が集光体と一体に形成されることにより、部品点数の低減、小型化等が達成される。
【００１５】
請求項４記載の発明は、請求項３記載の照明装置において、前記光拡散部は、前記入射面又は前記出射面の少なくとも一方の全面に形成されている。
【００１６】
したがって、点光源から出射された全ての光が光拡散部により拡散されるので、照度ニップルの発生防止が効果的に行われる。
【００１７】
請求項５記載の発明は、請求項３記載の照明装置において、前記光拡散部は、前記入射面又は前記出射面の少なくとも一方の面における前記点光源に垂直に対向する領域を含む範囲に間欠的に形成されている。
【００１８】
したがって、点光源から出射された光のうち照明位置で照度ニップルの発生原因となりやすい光は、点光源から垂直方向、又は、垂直に近い方向に出射された光であるので、この光を間欠的に形成された光拡散部で拡散することにより照明位置での照度ニップルの発生が防止される。さらに、点光源から斜め方向に出射された光は照度ニップルの発生原因とはなりにくく、この光を間欠的に形成された光拡散部の間を通過させて照明位置に照射することにより、照明位置における照度アップが達成される。
【００１９】
請求項６記載の発明は、請求項２ないし５のいずれか一記載の照明装置において、前記光拡散部は、表面粗し処理により形成されている。
【００２０】
したがって、光拡散部の形成を表面粗し処理により実現できる。表面粗し処理としては、例えば、サンドブレストが挙げられる。
【００２１】
請求項７記載の発明は、請求項２ないし５のいずれか一記載の照明装置において、前記光拡散部は、つや消しコーティング処理により形成されている。
【００２２】
したがって、光拡散部の形成をつや消しコーティング処理により実現できる。
【００２３】
請求項８記載の発明は、請求項２ないし５のいずれか一記載の照明装置において、前記光拡散部は、シボ処理により形成されている。
【００２４】
したがって、光拡散部の形成をシボ処理により実現でき、このシボ処理によれば集光体の形成と光拡散部との形成とを同時に行えるので、作業工程数が低減される。
【００２５】
請求項９記載の発明は、請求項１又は２記載の照明装置において、前記光拡散部は光拡散部材に形成され、前記光拡散部材が前記光集光体と前記照明対象物との間に配置されている。
【００２６】
したがって、光拡散部材の材質の選択の自由度が高くなり、最適な光拡散部を形成することが可能となる。
【００２７】
請求項１０記載の発明は、請求項９記載の発明において、前記光拡散部材は、前記集光体に取り付けられている。
【００２８】
したがって、集光体と光拡散部材との位置合わせを高精度に行える。
【００２９】
請求項１１記載の発明は、請求項９又は１０記載の照明装置において、前記光拡散部は、前記点光源から出射された光が前記照明対象物に向かう光路上の全域に形成されている。
【００３０】
したがって、点光源から出射された全ての光が光拡散部により拡散されるので、照度ニップルの発生防止が効果的に行われる。
【００３１】
請求項１２記載の発明は、請求項９又は１０記載の照明装置において、前記光拡散部は、前記点光源から垂直方向に出射された光が前記照明対象物に向かう光路上の領域を含む範囲に間欠的に形成されている。
【００３２】
したがって、点光源から出射された光のうち照明位置で照度ニップルの発生原因となりやすい光は、点光源から垂直方向、又は、垂直に近い方向に出射された光であるので、この光を間欠的に形成された光拡散部で拡散することにより照明位置での照度ニップルの発生が防止される。さらに、点光源から斜め方向に出射された光は照度ニップルの発生原因とはなりにくく、この光を間欠的に形成された光拡散部の間を通過させて照明位置に照射することにより、照明位置における照度アップが達成される。
【００３３】
請求項１３記載の発明は、請求項９ないし１２のいずれか一記載の照明装置において、前記光拡散部は、表面粗し処理により形成されている。
【００３４】
したがって、光拡散部の形成を表面粗し処理により実現できる。表面粗し処理としては、例えば、サンドブレストが挙げられる。
【００３５】
請求項１４記載の発明は、請求項９ないし１２のいずれか一記載の照明装置において、前記光拡散部は、つや消しコーティング処理により形成されている。
【００３６】
したがって、光拡散部の形成をつや消しコーティング処理により実現できる。
【００３７】
請求項１５記載の発明は、請求項９ないし１２のいずれか一記載の照明装置において、前記光拡散部は、シボ処理により形成されている。
【００３８】
したがって、光拡散部の形成をシボ処理により実現でき、このシボ処理によれば集光体の形成と光拡散部との形成とを同時に行えるので、作業工程数が低減される。
【００３９】
請求項１６記載の発明の画像読取装置は、照明対象物である原稿の原稿面を照明する請求項１ないし１５のいずれか一記載の照明装置と、原稿面からの反射光を読み取る画像読取部と、を具備する。
【００４０】
したがって、この画像読取装置によれば、照明対象物である原稿の原稿面では照明光による照明リップルの発生が防止されるので、原稿面の読取性能が向上する。
【００４１】
請求項１７記載の発明の画像形成装置は、請求項１６記載の画像読取装置と、前記画像読取装置で読み取った画像データに応じて記録媒体上に画像を形成する画像形成部と、を具備する。
【００４２】
したがって、この画像形成装置によれば、画像読取装置で読み取った画像データが照明リップルの影響を受けることなく読取性能が向上しているので、その画像データに応じて形成される画像品質が向上する。
【発明の効果】
【００４３】
請求項１記載の発明によれば、複数の点光源から出射された光は、光拡散部によりランダムに拡散されて照明対象物に照射されるので、照明対象物の照明位置では光源が点光源であることが原因となる照度リップルの発生を防止でき、照明位置において均一な照度とすることができる。
【００４４】
請求項２記載の発明によれば、照明対象物の照明位置において、照度ニップルの発生を防止して均一な照度を得ることができ、かつ、点光源から出射された光を有効に利用して十分な照度を得ることができる。
【００４５】
請求項３記載の発明によれば、光拡散部が集光体と一体に形成されることにより、部品点数の低減、小型化等を達成することができる。
【００４６】
請求項４記載の発明によれば、点光源から出射された全ての光が光拡散部により拡散されるので、照度ニップルの発生を効果的に防止できる。
【００４７】
請求項５記載の発明によれば、照明位置での照度ニップルの発生を防止でき、しかも、照明位置における照度アップを図ることができる。
【００４８】
請求項６記載の発明によれば、光拡散部の形成を表面粗し処理により実現できる。
【００４９】
請求項７記載の発明によれば、光拡散部の形成をつや消しコーティング処理により実現できる。
【００５０】
請求項８記載の発明によれば、光拡散部の形成をシボ処理により実現できる。
【００５１】
請求項９記載の発明によれば、光拡散部材の材質の選択の自由度が高くなり、最適な光拡散部を形成することができる。
【００５２】
請求項１０記載の発明によれば、集光体と光拡散部材との位置合わせを高精度に行うことができる。
【００５３】
請求項１１記載の発明によれば、点光源から出射された全ての光が光拡散部により拡散されるので、照度ニップルの発生を効果的に防止できる。
【００５４】
請求項１２記載の発明によれば、照明位置での照度ニップルの発生を防止でき、しかも、照明位置における照度アップを図ることができる。
【００５５】
請求項１３記載の発明によれば、光拡散部の形成を表面粗し処理により実現できる。
【００５６】
請求項１４記載の発明によれば、光拡散部の形成をつや消しコーティング処理により実現できる。
【００５７】
請求項１５記載の発明によれば、光拡散部の形成をシボ処理により実現できる。
【００５８】
請求項１６記載の発明によれば、照明対象物である原稿の原稿面での照明光による照明リップルの発生を防止でき、原稿面の読取性能を向上させることができる。
【００５９】
請求項１７記載の発明によれば、画像読取装置で読み取った画像データが照明リップルの影響を受けることなく読取性能が向上しているので、その画像データに応じて形成される画像品質を向上させることができる。
【発明を実施するための最良の形態】
【００６０】
本発明の第１の実施の形態を図１ないし図４に基づいて説明する。図１は本発明が適用される画像形成装置であるフルカラーの複写機１の内部構造を示す概略正面図である。
【００６１】
複写機１の装置本体２内の中央部にはカラー画像を形成するための画像形成部３が設けられている。この画像形成部３は、等間隔に離間させて水平向きに並列に配設された４つのドラム状の感光体４、感光体４の外周面を一様に帯電する帯電ローラ５、帯電ローラ５により帯電された各感光体４の外周面を画像データに応じて露光することにより静電潜像を形成する露光装置６、静電潜像にトナーを供給することにより静電潜像をトナー像として顕像化する現像装置７、感光体４上のトナー像が順次転写される中間転写ベルト８、中間転写ベルト８上へのトナー像の転写後に感光体４上に残留したトナーを除去するクリーニング装置９、中間転写ベルト８上に転写されたトナー像を記録媒体Ｓに転写させる転写ローラ１０等により構成されている。なお、４つの感光体４上にはそれぞれ異なる色のトナー像（Ｙ；イエロー、Ｍ；マゼンタ、Ｃ；シアン、Ｂ；ブラック）が形成され、これらの各色のトナー像が中間転写ベルト８上に転写されることにより、中間転写ベルト８上ではカラーのトナー像が形成され、このカラーのトナー像が記録媒体Ｓに転写される。
【００６２】
装置本体２の上部には、後述する照明装置による照明対象物である原稿を自動送りするＡＤＦ１１と、後述する照明装置による照明対象物である原稿が載置されるコンタクトガラス１２と、ＡＤＦ１１で自動送りされた原稿又はコンタクトガラス１２上に載置された原稿を読取る画像読取装置１３とが配置されている。
【００６３】
画像読取装置１３は、コンタクトガラス１２と平行に２：１の速度で走行可能な第１・第２走行体１４，１５、レンズ１６、画像読取部であるＣＣＤ１７等により構成されている。第１走行体１４には、コンタクトガラス１２上に載置された原稿、又は、ＡＤＦ１１で搬送される原稿の原稿面を照明するための照明装置１８と、原稿面で反射されて読取光軸に沿って進行する読取光を反射させる第１ミラー１９とが搭載されている。第２走行体１５には、第１ミラー１９で反射された光をさらに反射させる第２ミラー２０と第３ミラー２１とが搭載されている。第１〜第３ミラー１９，２０，２１で順次反射された読取光の進行方向前方には、レンズ１６とＣＣＤ１７とが配置されている。
【００６４】
装置本体２の下部には、記録媒体Ｓを収納する複数段、例えば４段の用紙カセット２４が設けられている。これらの用紙カセット２４内に収納された記録媒体Ｓはピックアップローラ２５とフィードローラ２６とにより一枚ずつ分離給紙され、分離給紙された記録媒体Ｓは装置本体２内に設けられた用紙搬送路２７に沿って搬送される。この用紙搬送路２７上には、レジストローラ２８、転写ローラ１０、定着装置２９、排紙ローラ３０等が配置されている。
【００６５】
このような構成において、画像読取装置１３での読取結果に応じて露光装置６の半導体レーザから各色（イエローＹ、マゼンタＭ、シアンＣ、ブラックＢ）の画像データに応じたレーザ光が出射され、そのレーザ光が帯電ローラ５により一様に帯電された各感光体４の外周面を露光することにより静電潜像が形成される。この静電潜像に対して各現像装置７から各色のトナーが供給されることにより、各色のトナー像が形成される。各感光体４上のトナー像は、感光体４と同期して移動する中間転写ベルト８上に順次転写され、中間転写ベルト８上にはカラートナー像が形成される。
【００６６】
一方、画像形成部３での画像形成動作の開始と相前後して用紙カセット２４内から記録媒体Ｓの分離給紙が開始され、分離給紙されて用紙搬送路２７上を搬送された記録媒体Ｓは間歇的に回転駆動するレジストローラ２８によりタイミングをとられ中間転写ベルト８と転写ローラ１０との間の転写位置へ送り込まれる。
【００６７】
レジストローラ２８が回転駆動されて記録媒体Ｓが中間転写ベルト８と転写ローラ１０との間に送り込まれることにより、中間転写ベルト８上のカラートナー像が記録媒体Ｓ上に転写される。記録媒体Ｓ上に転写されたカラートナー像は、引き続き用紙搬送路２７上を搬送される記録媒体Ｓが定着装置２９を通過する過程で記録媒体Ｓに定着され、カラートナー像が定着された記録媒体Ｓは排紙ローラ３０によって排紙トレイ３１上に排紙される。
【００６８】
このような構成の下、本実施の形態の特徴的部分について順次説明する。
【００６９】
図２は、第１走行体１４に搭載されている照明装置１８と第１ミラー１９とを示す正面図である。図３は、照明装置１８を分解して示す斜視図である。照明装置１８は、複数の点光源であるＬＥＤ３２、集光体３３、光拡散部３４、反射板３５、遮光部材３６等により構成されている。
【００７０】
ＬＥＤ３２は、長尺状の基板３７上に等間隔で直線状に配置され、複数のＬＥＤ３２が画像読取時における主走査方向に沿って配列される向きに基板３７が位置付けられている。
【００７１】
集光体３３は、レンズ３８と導光体３９と集光レンズ４０とが一体成型され、基板３７とほぼ同じ長さを有する長尺状に形成されている。集光体３３は、長尺状の向きを画像読取時の主走査方向に合わせて位置付けられ、複数のＬＥＤ３２から出射された光は、集光体３３を透過し、及び、ＬＥＤ３２の配列方向と直交する方向（画像読取時における副走査方向）に集光される。
【００７２】
光拡散部３４は、ＬＥＤ３２から出射した光が集光体３３を透過する際に集光体３３から出射する出射面（集光体３３におけるコンタクトガラス１２に対向する面）３３ａの全面に、光拡散部３４が形成されている。即ち、光拡散部３４は、ＬＥＤ３２から出射された光が照明対象物である原稿の原稿面に至る光路上に配置されている。この光拡散部３４は、集光体３３を透過して出射面３３ａから出射される光をランダムに拡散する作用を有する。
【００７３】
光拡散部３４は、サンドブラストやエッチング等の表面粗し処理により形成され、光の拡散度が８０±１０％、光の透過率が９０％以上に形成されている。
【００７４】
この光拡散部３４の形成に関しては、表面粗し処理以外の方法で形成してもよく、例えば、非晶質二酸化ケイ素やその他の微粒子を含むつや消し剤を塗布するつや消しコーティング処理、集光体３３を形成する金型の内面にシボを形成しておくシボ処理等により形成することができる。また、光拡散部３４の形成位置に関して、ＬＥＤ３２から出射した光が集光体３３を透過する際における当該光の集光体３３に対する入射面（集光体３３におけるＬＥＤ３２に対向する面）３３ｂの全面に形成してもよい。
【００７５】
反射板３５は、基板３７及び集光体３３とほぼ同じ長さを有して集光体３３に対向する側が凹面となる放物面形状に形成され、凹面を集光体３３の長手方向側面に対向させて配置されている。
【００７６】
図４は、ＬＥＤ３２から出射され、集光体３３を透過した光が光拡散部３４でランダムに拡散される様子を説明する側面図である。ＬＥＤ３２から出射された光は、ＬＥＤ３２の配列方向と直交する方向については集光体３３により集光され、集光体３３から出射する際に光拡散部３４によってランダムに拡散される。
【００７７】
このような構成において、ＬＥＤ３２から出射された光は、集光体３３を透過し、集光体３３を透過した後にコンタクトガラス１２上に載置された原稿の原稿面、又は、ＡＤＦ１１により搬送される原稿の原稿面に照射される。
【００７８】
ＬＥＤ３２から出射された光が集光体３３を透過する際に、この光は集光体３３の出射面３３ａに形成されている光拡散部３４によって拡散される。このため、原稿面における照明位置では、ＬＥＤ３２が点光源であることが原因となる照度ニップルの発生が防止され、原稿面における画像読取の主走査方向に沿った全域において、均一な照度となる。
【００７９】
このため、原稿面上での照度ムラの発生が防止され、原稿面を照明する光の照度ムラが原因となる画像データの濃度ムラの発生が防止され、形成される画像の濃度ムラの発生が防止される。これにより、記録媒体Ｓ上に形成される画像には、照度ニップルが原因となる縞模様状の濃淡が発生せず、高品質の画像が得られる。
【００８０】
本発明の第２の実施の形態を図５及び図６に基づいて説明する。なお、図１ないし図４において説明した部分と同じ部分は同じ符号で示し、説明も省略する（以下の実施の形態でも同じ）。
【００８１】
本実施の形態の基本的構造は第１の実施の形態と同じである。本実施の形態が第１の実施の形態と異なる点は、第１の実施の形態では、集光体３３に出射面３３ａの全面に光拡散部３４が形成されているのに対し、本実施の形態では、ＬＥＤ３２の配列方向に沿って等間隔で間欠的に光拡散部３４が形成されている点である。光拡散部３４が間欠的に形成されている位置は、ＬＥＤ３２と集光体３３とを連結して位置決めしたときに、ＬＥＤ３２に対して垂直に対向する領域を含む範囲とされている。
【００８２】
このような構成において、ＬＥＤ３２から出射された光のうち、原稿面上の照明位置で照度ニップルの発生原因となりやすい光は、ＬＥＤ３２から垂直方向、又は、垂直に近い方向に出射された光であり、ＬＥＤ３２から斜め方向に出射された光は原稿面上の照明位置での照度ニップルの発生原因とはなりにくい。そこで、集光体３３の出射面３３ａに光拡散部３４を間欠的に形成し、ＬＥＤ３２から垂直方向、又は、垂直に近い方向に出射された光を光拡散部３４で拡散させることにより、原稿面上の照明位置での照度ニップルの発生が防止される。
【００８３】
さらに、ＬＥＤ３２から斜め方向に出射された光であって原稿面上の照明位置での照度ニップルの発生原因となりにくい光は、光拡散部３４で拡散させずに原稿面の照明位置に直接照射させることにより、照明位置における照度アップを図ることができる。
【００８４】
本実施の形態においても、光拡散部３４を、表面粗し処理、つや消しコーティング処理、シボ処理等により形成することができる。また、光拡散部３４を集光体３３の入射面３３ｂに形成してもよい。
【００８５】
本発明の第３の実施の形態を図７ないし図９に基づいて説明する。本実施の形態の基本的構造は第１の実施の形態と同じである。本実施の形態が第１の実施の形態と異なる点は、第１の実施の形態では、光拡散部３４を集光体３３の出射面３３ａに形成したのに対し、本実施の形態では集光体３３と別体に光拡散部材４１が設けられ、この光拡散部材４１に光拡散部３４が形成されている点である。即ち、本実施の形態においても、光拡散部３４は、ＬＥＤ３２から出射された光が照明対象物である原稿の原稿面に至る光路上に配置されている。また、光拡散部３４は、光拡散部材４１における集光体３３の出射面３３ａに対向する全面に形成されている。
【００８６】
本実施の形態の光拡散部３４も第１の実施の形態の光拡散部３４と同様に、表面粗し処理、つや消しコーティング処理、シボ処理等により形成されている。
【００８７】
このような構成において、本実施の形態においても、ＬＥＤ３２から出射された光が原稿の原稿面に至る光路上に光拡散部３４が設けられているため、ＬＥＤ３２から出射された光が光拡散部３４でランダムな方向に拡散された後に原稿の原稿面に照射されるので、原稿面における照明位置では、ＬＥＤ３２が点光源であることが原因となる照度ニップルの発生が防止され、原稿面における画像読取の主走査方向に沿った全域において、均一な照度となる。
【００８８】
このため、原稿面上での照度ムラの発生が防止され、原稿面を照明する光の照度ムラが原因となる画像データの濃度ムラの発生が防止され、形成される画像の濃度ムラの発生が防止される。これにより、記録媒体Ｓ上に形成される画像には、照度ニップルが原因となる縞模様状の濃淡が発生せず、高品質の画像が得られる。
【００８９】
また、本実施の形態では、光拡散部３４を集光体３３とは別体に設けた光拡散部材４１に形成しているため、光拡散部材４１の材質の選択の自由度が高くなり、光拡散部３４を形成するために最適な材質を選択して光拡散部材４１を形成することができ、光の拡散度、光の透過率の点で性能の高い光拡散部３４を形成することが可能となる。
【００９０】
そして、光拡散部３４の性能を向上させることにより、記録媒体Ｓ上に形成される画像品質の向上を達成することができる。
【００９１】
本発明の第４の実施の形態を図１０及び図１１に基づいて説明する。本実施の形態の基本的構造は第３の実施の形態と同じである。本実施の形態が第３の実施の形態と異なる点は、第３の実施の形態では、光拡散部材４１における集光体３３の出射面３３ａに対向する全面に光拡散部３４を形成されているのに対し、本実施の形態では、光拡散部材４１における集光体３３の出射面３３ａに対向する面にＬＥＤ３２の配列方向に沿って等間隔で間欠的に光拡散部３４が形成されている点である。光拡散部３４が間欠的に形成されている位置は、光拡散部材４１を集光体３３に連結して位置決めしたときに、ＬＥＤ３２に対して垂直に対向する領域を含む範囲とされている。
【００９２】
本実施の形態の光拡散部３４も第１ないし第３の実施の形態の光拡散部３４と同様に、表面粗し処理、つや消しコーティング処理、シボ処理等により形成されている。
【００９３】
このような構成において、上述した第２の実施の形態で説明したように、ＬＥＤ３２から出射された光のうち、原稿面上の照明位置で照度ニップルの発生原因となりやすい光は、ＬＥＤ３２から垂直方向、又は、垂直に近い方向に出射された光であり、ＬＥＤ３２から斜め方向に出射された光は原稿面上の照明位置での照度ニップルの発生原因とはなりにくい。そこで、光拡散部材４１に形成する光拡散部３４をＬＥＤ３２の配列方向に沿って間欠的に形成し、ＬＥＤ３２から垂直方向、又は、垂直に近い方向に出射された光を光拡散部３４で拡散させることにより、原稿面上の照明位置での照度ニップルの発生が防止される。
【００９４】
さらに、ＬＥＤ３２から斜め方向に出射された光であって原稿面上の照明位置での照度ニップルの発生原因となりにくい光は、光拡散部３４で拡散させずに原稿面の照明位置に直接照射させることにより、照明位置における照度アップを図ることができる。
【図面の簡単な説明】
【００９５】
【図１】本発明の第１の実施の形態の複写機の概略構造を示す正面図である。
【図２】第１走行体に搭載されている照明装置と第１ミラーとを示す正面図である。
【図３】照明装置を示す分解斜視図である。
【図４】ＬＥＤから出射されて集光体を透過した光が光拡散部でランダムに拡散される様子を説明する側面図である。
【図５】本発明の第２の実施の形態の照明装置を示す分解斜視図である。
【図６】ＬＥＤから出射されて集光体を透過した光が光拡散部でランダムに拡散される様子を説明する側面図である。
【図７】本発明の第３の実施の形態における第１走行体に搭載されている照明装置と第１ミラーとを示す正面図である。
【図８】照明装置を示す分解斜視図である。
【図９】ＬＥＤから出射されて集光体を透過した光が光拡散部でランダムに拡散される様子を説明する側面図である。
【図１０】本発明の第４の実施の形態の照明装置を示す分解斜視図である。
【図１１】ＬＥＤから出射されて集光体を透過した光が光拡散部でランダムに拡散される様子を説明する側面図である。
【符号の説明】
【００９６】
３      画像形成部
１３      画像読取装置
１７      画像読取部
１８      照明装置
３２      点光源
３３      集光体
３４      光拡散部
４１      光拡散部材
【図１】
2005156600.tif 000003
【図２】
2005156600.tif 000004
【図３】
2005156600.tif 000005
【図４】
2005156600.tif 000006
【図５】
2005156600.tif 000007
【図６】
2005156600.tif 000008
【図７】
2005156600.tif 000009
【図８】
2005156600.tif 000010
【図９】
2005156600.tif 000011
【図１０】
2005156600.tif 000012
【図１１】
2005156600.tif 000013